(57)【要約】【課題】  サイズの大きな用紙が排紙される場合であっても用紙の全体を照らすこと。【解決手段】  画像表示装置は、原稿を読み取るための原稿読取部１３０と、原稿読取部１３０の下方に設けられ、用紙に画像を形成する画像形成部１４０と、原稿読取部１３０と画像形成部１４０との間に設けられ、画像形成部１３０により画像が形成された用紙を排紙する排紙トレイ１５５と、排紙トレイ１５５の表面を照らす複数の光源１７１〜１７４と、を備え、複数の光源１７１〜１７４それぞれが排紙トレイ１５５の表面をそれぞれ照らす照射範囲が互いに異なる。【選択図】        図１
2018126884.tif 000002
【特許請求の範囲】
【請求項１】
原稿を読み取るための原稿読取手段と、
前記原稿読取手段の下方に設けられ、用紙に画像を形成する画像形成手段と、
前記原稿読取手段と前記画像形成手段との間に設けられ、前記画像形成手段により画像が形成された用紙を排紙する排紙トレイと、
前記排紙トレイの表面を照らす複数の照明手段と、を備え、
前記複数の照明手段それぞれが前記排紙トレイの表面をそれぞれ照らす照射範囲が互いに異なる、画像形成装置。
【請求項２】
前記複数の照明手段それぞれを独立して制御する照明制御手段を、さらに備えた請求項１に記載の画像形成装置。
【請求項３】
前記照明制御手段は、前記画像形成手段によって前記排紙トレイに排出される用紙のサイズに従って、前記複数の照明手段のうちから前記排紙トレイの表面を照らす１以上の照明手段を決定する、請求項２に記載の画像形成装置。
【請求項４】
ジョブを実行することにより前記画像形成手段に画像を形成させるジョブ実行手段を、さらに備え、
前記照明制御手段は、前記ジョブ実行手段により実行されるジョブで定められる条件に基づいて、前記複数の照明手段が前記排紙トレイの表面を照らす態様を異ならせる、請求項３に記載の画像形成装置。
【請求項５】
前記照明制御手段は、前記ジョブ実行手段により実行されるジョブの実行を指示したユーザーによって、前記複数の照明手段が前記排紙トレイの表面を照らす態様を異ならせる、請求項４に記載の画像形成装置。
【請求項６】
前記照明制御手段は、前記画像形成手段による前記排紙トレイへの用紙の排出が完了することに応じて、前記複数の照明手段のうちから決定された前記１以上の照明手段を制御する、請求項３〜５のいずれかに記載の画像形成装置。
【請求項７】
所定の距離に存在する人を検出する検出手段を、さらに備え、
前記照明制御手段は、前記検出手段により人が検出されることに応じて、前記複数の照明手段のうちから決定された前記１以上の照明手段を制御する、請求項３〜６のいずれかに記載の画像形成装置。
【請求項８】
前記照明制御手段は、前記複数の照明手段のうちから決定された前記１以上の照明手段の制御を開始してから所定時間が経過することに応じて、前記１以上の照明手段の制御を終了する、請求項６または７に記載の画像形成装置。
【請求項９】
前記照明制御手段は、前記複数の照明手段それぞれが照射する光の色および／または点滅間隔を制御する、請求項２〜８のいずれかに記載の画像形成装置。
【請求項１０】
環境光の照度を検出する照度検出手段を、さらに備え、
前記照明制御手段は、前記検出された環境光の照度に基づいて、前記複数の照明手段がそれぞれ照射する光の量を制御する、請求項２〜９のいずれかに記載の画像形成装置。
【請求項１１】
前記複数の照明手段は、前記原稿読取手段の下面に設けられる、請求項１〜１０のいずれかに記載の画像形成装置。
【請求項１２】
前記複数の照明手段は、前記画像形成手段が前記排紙トレイに用紙を排紙する排紙口が設けられる側とは反対側に一方向に並んで配置される、請求項１１に記載の画像形成装置。
【請求項１３】
前記複数の照明手段は、前記画像形成手段が前記排紙トレイに前記用紙を排紙する排紙口からの距離が異なる２以上の照明手段を含む、請求項１１に記載の画像形成装置。
【請求項１４】
画像形成装置で実行される照明制御方法であって、
前記画像形成装置は、原稿を読み取るための原稿読取手段と、
前記原稿読取手段の下方に設けられ、用紙に画像を形成する画像形成手段と、
前記原稿読取手段と前記画像形成手段との間に設けられ、前記画像形成手段により画像が形成された用紙を排紙する排紙トレイと、
前記排紙トレイの表面を照らす複数の照明手段と、を備え、
前記複数の照明手段それぞれが前記排紙トレイの表面をそれぞれ照らす照射範囲が互いに異なり、
前記画像形成装置に、前記複数の照明手段それぞれを独立して制御する照明制御ステップを実行させる、照明制御方法。
【請求項１５】
画像形成装置を制御するコンピューターで実行される照明制御プログラムであって、
前記画像形成装置は、原稿を読み取るための原稿読取手段と、
前記原稿読取手段の下方に設けられ、用紙に画像を形成する画像形成手段と、
前記原稿読取手段と前記画像形成手段との間に設けられ、前記画像形成手段により画像が形成された用紙を排紙する排紙トレイと、
前記排紙トレイの表面を照らす複数の照明手段と、を備え、
前記複数の照明手段それぞれが前記排紙トレイの表面をそれぞれ照らす照射範囲が互いに異なり、
前記複数の照明手段それぞれを独立して制御する照明制御ステップを前記コンピューターに実行させる、照明制御プログラム。
【発明の詳細な説明】
【技術分野】
【０００１】
この発明は、画像形成装置、排紙通知方法および排紙通知プログラムに関し、特に、用紙に画像を形成する画像形成装置、その画像形成装置で実行される排紙通知方法および排紙通知プログラムに関する。
【背景技術】
【０００２】
ファックシミリ送受信機能やコピー機能やスキャナー機能などといった複数の機能を併せ持つＭＦＰ（Ｍｕｌｔｉ  Ｆｕｎｃｔｉｏｎ  Ｐｅｒｉｐｈｅｒａｌ）で代表される画像処理装置は、画像を形成する画像形成部の上方に原稿を読み取るスキャナーを配置したものが多い。この配置によれば、画像形成部とスキャナーとの間に、画像形成部が画像を形成した用紙を蓄積するための空間を排紙部として形成することができるので、水平方向の装置のサイズを小さくすることができる。
【０００３】
しかしながら、排紙部は、画像形成部とスキャナーとに上下方向が挟まれるので、外部からの視認が困難な場合がある。特に、近年では、ＭＦＰの前面に設けられた操作パネルを構成する液晶表示装置（ＬＣＤ）が、視認性および操作性を向上させるために大型化している。このため、ユーザーは、ＬＣＤによって視界を遮られ、排紙部をのぞき込まなれば用紙の有無を確認できない場合がある。
【０００４】
一方、特開平８−３３９１０７号公報には、用紙を蓄積する空間を照らすランプを設けた画像形成装置が記載されている。特開平８−３３９１０７号公報に記載の画像形成装置は、用紙を蓄積する空間に蓄積された用紙の存在をユーザーに通知することができる。
【０００５】
しかしながら、特開平８−３３９１０７号公報に記載の画像形成装置では、排紙部を１つのランプで照らすために、用紙の全体を照らすことができない場合があり、排紙部に蓄積された用紙の視認性が悪くなるといった問題がある。例えば、ランプと用紙との間の距離が制限されるため、１つのランプで排紙部を照らす範囲を大きくすることができず、用紙の全体を照らすことができないといった問題がある。
【０００６】
また、ＭＦＰは、サイズの異なる複数種類の用紙に画像を形成することが可能なため、ＭＦＰをプリンターとして使用したユーザーは、排紙部に排紙された用紙のサイズを見れば、自らがＭＦＰにプリントさせて排紙された用紙であることを知ることができる場合がある。しかしながら、特開平８−３３９１０７号公報に記載の画像形成装置では、用紙の全体を照らすことができないので、ユーザーは、用紙のサイズを認識することができない。このため、ユーザーは、排紙部から用紙を取り出して、自らがＭＦＰにプリントさせて排紙された用紙であるか否かを確認することになるが、自らがＭＦＰにプリントさせて排紙された用紙とは異なる場合は、取り出した用紙を排紙部に戻すことになる。この場合には、プリントされた用紙の順番が変わってしまう場合があるといった問題がある。
【特許文献１】特開平８−３３９１０７号公報
【発明の概要】
【発明が解決しようとする課題】
【０００７】
この発明は上述した問題点を解決するためになされたもので、この発明の目的の一つは、サイズの大きな用紙が排紙される場合であっても用紙の全体を照らすことが可能な画像形成装置を提供することである。
【０００８】
この発明の他の目的は、サイズの大きな用紙が排紙される場合であっても用紙の全体を照らすことが可能な照明制御方法を提供することである。
【０００９】
この発明のさらに他の目的は、サイズの大きな用紙が排紙される場合であっても用紙の全体を照らすことが可能な照明制御プログラムを提供することである。
【課題を解決するための手段】
【００１０】
この発明は上述した問題点を解決するためになされたもので、この発明のある局面によれば、画像形成装置は、原稿を読み取るための原稿読取手段と、原稿読取手段の下方に設けられ、用紙に画像を形成する画像形成手段と、原稿読取手段と画像形成手段との間に設けられ、画像形成手段により画像が形成された用紙を排紙する排紙トレイと、排紙トレイの表面を照らす複数の照明手段と、を備え、複数の照明手段それぞれが排紙トレイの表面をそれぞれ照らす照射範囲が互いに異なる。
【００１１】
この局面に従えば、排紙トレイの表面をそれぞれ照らす照射範囲が互いに異なる複数の照明手段を備えるので、排紙トレイの表面の全体を照らすことができる。その結果、サイズの大きな用紙が排紙される場合であっても用紙の全体を照らすことが可能な画像形成装置を提供することができる。
【００１２】
好ましくは、複数の照明手段それぞれを独立して制御する照明制御手段を、さらに備える。
【００１３】
この局面に従えば、複数の照明手段それぞれを独立して制御するので、排紙トレイの表面を部分的で照らすことができる。
【００１４】
好ましくは、照明制御手段は、画像形成手段によって排紙トレイに排出される用紙のサイズに従って、複数の照明手段のうちから排紙トレイの表面を照らす１以上の照明手段を決定する。
【００１５】
この局面に従えば、排紙トレイに排出される用紙のサイズに従って、排紙トレイの表面を照らす１以上の照明手段が決定されるので、排紙トレイの表面を照らす範囲を異ならせることができる。このため、ユーザーに排紙トレイに排紙された用紙のサイズを通知することができる。
【００１６】
好ましくは、ジョブを実行することにより画像形成手段に画像を形成させるジョブ実行手段を、さらに備え、照明制御手段は、ジョブ実行手段により実行されるジョブで定められる条件に基づいて、複数の照明手段が排紙トレイの表面を照らす態様を異ならせる。
【００１７】
この局面に従えば、ジョブで定められる条件によって、排紙トレイの表面を異なる態様で照らすので、ユーザーは、排紙トレイに排紙された用紙が自らが指示したジョブに基づくものであるかを知ることができる。
【００１８】
好ましくは、照明制御手段は、ジョブ実行手段により実行されるジョブの実行を指示したユーザーによって、複数の照明手段が排紙トレイの表面を照らす態様を異ならせる。
【００１９】
この局面に従えば、ジョブを指示したユーザーによって、排紙トレイの表面を異なる態様で照らすので、排紙トレイに排紙された用紙が、いずれのユーザーによって指示されたジョブに基づくものであるかを通知することができる。
【００２０】
好ましくは、照明制御手段は、画像形成手段による排紙トレイへの用紙の排出が完了することに応じて、複数の照明手段のうちから決定された１以上の照明手段を制御する。
【００２１】
この局面に従えば、排紙トレイへの用紙の排出が完了することに応じて、排紙トレイの表面が照らされるので、ユーザーに排紙トレイに用紙が排紙されたことを通知することができる。
【００２２】
好ましくは、所定の距離に存在する人を検出する検出手段を、さらに備え、照明制御手段は、検出手段により人が検出されることに応じて、複数の照明手段のうちから決定された１以上の照明手段を制御する。
【００２３】
この局面に従えば、所定の距離に人が存在することが検出されると、排紙トレイの表面が照らされるので、所定の距離に存在するユーザーに排紙トレイに用紙が排紙されていることを通知することができる。
【００２４】
好ましくは、照明制御手段は、複数の照明手段のうちから決定された１以上の照明手段の制御を開始してから所定時間が経過することに応じて、１以上の照明手段の制御を終了する。
【００２５】
この局面に従えば、排紙トレイの表面を照らす期間を、所定時間に限定するので、電力の消費を抑えることができる。
【００２６】
好ましくは、照明制御手段は、複数の照明手段それぞれが照射する光の色および／または点滅間隔を制御する。
【００２７】
好ましくは、環境光の照度を検出する照度検出手段を、さらに備え、照明制御手段は、検出された環境光の照度に基づいて、複数の照明手段がそれぞれ照射する光の量を制御する。
【００２８】
この局面に従えば、環境光によって排紙トレイを照らす光の量を制御するので、環境光の変化に対応して排紙トレイを照らすことができる。
【００２９】
好ましくは、複数の照明手段は、原稿読取手段の下面に設けられる。
【００３０】
この局面に従えば、排紙トレイを直接照らすことができる。
【００３１】
好ましくは、複数の照明手段は、画像形成手段が排紙トレイに用紙を排紙する排紙口が設けられる側とは反対側に一方向に並んで配置される。
【００３２】
好ましくは、複数の照明手段は、画像形成手段が排紙トレイに用紙を排紙する排紙口からの距離が異なる２以上の照明手段を含む。
【００３３】
この発明の他の局面によれば、照明制御方法は、画像形成装置で実行される照明制御方法であって、画像形成装置は、原稿を読み取るための原稿読取手段と、原稿読取手段の下方に設けられ、用紙に画像を形成する画像形成手段と、原稿読取手段と画像形成手段との間に設けられ、画像形成手段により画像が形成された用紙を排紙する排紙トレイと、排紙トレイの表面を照らす複数の照明手段と、を備え、複数の照明手段それぞれが排紙トレイの表面をそれぞれ照らす照射範囲が互いに異なり、画像形成装置に、複数の照明手段それぞれを独立して制御する照明制御ステップを実行させる。
【００３４】
この局面に従えば、サイズの大きな用紙が排紙される場合であっても用紙の全体を照らすことが可能な照明制御方法を提供することができる。
【００３５】
この発明のさらに他の局面によれば、照明制御プログラムは、画像形成装置を制御するコンピューターで実行される照明制御プログラムであって、画像形成装置は、原稿を読み取るための原稿読取手段と、原稿読取手段の下方に設けられ、用紙に画像を形成する画像形成手段と、原稿読取手段と画像形成手段との間に設けられ、画像形成手段により画像が形成された用紙を排紙する排紙トレイと、排紙トレイの表面を照らす複数の照明手段と、を備え、複数の照明手段それぞれが排紙トレイの表面をそれぞれ照らす照射範囲が互いに異なり、複数の照明手段それぞれを独立して制御する照明制御ステップをコンピューターに実行させる。
【００３６】
この局面に従えば、サイズの大きな用紙が排紙される場合であっても用紙の全体を照らすことが可能な照明制御プログラムを提供することができる。
【図面の簡単な説明】
【００３７】
【図１】本発明の実施の形態の１つにおけるＭＦＰの外観を示す斜視図である。
【図２】ＭＦＰのハードウェア構成の概要を示すブロック図である。
【図３】照明部が有する４つの光源の照明範囲を模式的に示す第１の図である。
【図４】照明部が有する４つの光源の照明範囲を模式的に示す第２の図である。
【図５】ＭＦＰが備えるＣＰＵが有する機能の一例を示す図である。
【図６】排紙通知処理の流れの一例を示すフローチャートである。
【図７】変形例における照明部が有する４つの光源の照明範囲を模式的に示す図である。
【発明を実施するための形態】
【００３８】
以下、本発明の実施の形態について図面を参照して説明する。以下の説明では同一の部品には同一の符号を付してある。それらの名称および機能も同じである。したがってそれらについての詳細な説明は繰り返さない。
【００３９】
図１は、本発明の実施の形態の１つにおけるＭＦＰの外観を示す斜視図である。図２は、ＭＦＰのハードウェア構成の概要を示すブロック図である。図１および図２を参照して、ＭＦＰ（Ｍｕｌｔｉ  Ｆｕｎｃｔｉｏｎ  Ｐｅｒｉｐｈｅｒａｌ）１００は、画像形成装置の一例であり、メイン回路１１０と、原稿を読み取るための原稿読取部１３０と、原稿を原稿読取部１３０に搬送するための自動原稿搬送装置１２０と、画像データに基づいて用紙等に画像を形成するための画像形成部１４０と、画像形成部１４０に用紙を供給するための給紙部１５０と、ユーザーインターフェースとしての操作パネル１６０と、照明部１７０と、人感センサー１１７と、照度センサー１１８と、を含む。
【００４０】
自動原稿搬送装置１２０は、原稿トレイ１２５上にセットされた複数枚の原稿を１枚ずつ自動的に原稿読取部１３０の原稿読み取り位置まで搬送し、原稿読取部１３０により原稿に形成された画像が読み取られた原稿を原稿排紙トレイ１２７上に排出する。自動原稿搬送装置１２０は、原稿トレイ１２５に載置される原稿を検出する原稿検出センサーを備える。
【００４１】
原稿読取部１３０は、筐体内に収められ、原稿を読み取るための矩形状の読取面を有する。読取面は、例えばプラテンガラスにより形成される。自動原稿搬送装置１２０は、読取面の１つの辺に平行な軸を中心に回転可能にＭＦＰ１００の本体に接続され、開閉可能である。自動原稿搬送装置１２０の下方に、原稿読取部１３０が配置されており、自動原稿搬送装置１２０が回転して開いた開状態で、原稿読取部１３０の読取面が露出する。このため、ユーザーは、原稿読取部１３０の読取面に原稿を載置可能である。自動原稿搬送装置１２０は、原稿読取部１３０の読み取り面が露出する開状態と、読み取り面を覆う閉状態とに状態を変化可能である。自動原稿搬送装置１２０は、自動原稿搬送装置１２０の開状態を検出する状態検出センサーを備える。
【００４２】
原稿読取部１３０は、光を照射する光源と、光を受光する光電変換素子とを含み、読取面に載置された原稿に形成されている画像を走査する。読取領域に原稿が載置されている場合、光源から照射された光は原稿で反射し、反射した光が光電変換素子で結像する。光電変換素子は、原稿で反射した光を受光すると、受光した光を電気信号に変換した画像データを生成する。原稿読取部１３０は、画像データをＣＰＵ１１１に出力する。
【００４３】
給紙部１５０は、給紙トレイに収納された用紙を画像形成部１４０に搬送する。給紙部１５０は、サイズの異なる用紙を収納する複数の給紙トレイを含む。また、複数の給紙トレイは、同じサイズの用紙を異なる方向で収納する複数の給紙トレイを含む場合がある。
【００４４】
画像形成部１４０は、ＣＰＵ１１１により制御され、周知の電子写真方式により画像を形成するものであって、ＣＰＵ１１１から入力される画像データに基づいて、給紙部１５０により搬送される用紙に画像を形成する。ＣＰＵ１１１が画像形成部１４０に出力する画像データは、原稿読取部１３０から入力される画像データの他、外部から受信されるプリントデータ等の画像データを含む。
【００４５】
画像形成部１４０と、原稿読取部１３０との間の空間に排紙トレイ１５５が設けられる。画像形成部１４０は、画像を形成した用紙を排紙口１５７から排紙トレイ１５５に排出する。
【００４６】
原稿読取部１３０の筐体内に照明部１７０が配置される。照明部１７０は、原稿読取部１３０の筐体の下方であって、排紙口１５７が設けられる側とは反対側に配置される。照明部１７０は、第１の方向に並んで配置される４つの第１光源１７１、第２光源１７２、第３光源１７３および第４光源１７４を含む。第１の方向は、排紙口１５７から用紙が搬送される第２の方向に直交する方向である。ここでは、４つの第１光源１７１、第２光源１７２、第３光源１７３および第４光源１７４を、ＬＥＤ（ｌｉｇｈｔ  ｅｍｉｔｔｉｎｇ  ｄｉｏｄｅ）としている。４つの第１光源１７１、第２光源１７２、第３光源１７３および第４光源１７４それぞれは、Ｒ（赤）Ｇ（緑）Ｂ（青）の３色の光を明度を異ならせて照射可能である。なお、４つの第１光源１７１、第２光源１７２、第３光源１７３および第４光源１７４それぞれは、単色の光を照射可能であってもよい。
【００４７】
メイン回路１１０は、ＭＦＰ１００の全体を制御するＣＰＵ（中央演算処理装置）１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、大容量記憶装置としてのハードディスクドライブ（ＨＤＤ）１１５と、ファクシミリ部１１６と、人感センサー１１７と、照度センサー１１８と、外部記憶装置１１９と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００４８】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる画像データを一時的に記憶する。
【００４９】
操作パネル１６０は、ＭＦＰ１００の上面に設けられる。操作パネル１６０は、表示部１６１と操作部１６３とを含む。表示部１６１は、例えば、液晶表示装置（ＬＣＤ）であり、ユーザーに対する指示メニューや取得した画像データに関する情報等を表示する。なお、ＬＣＤに代えて、画像を表示する装置であれば、例えば、有機ＥＬ（ｅｌｅｃｔｒｏｌｕｍｉｎｅｓｃｅｎｃｅ）ディスプレイを用いることができる。
【００５０】
操作部１６３は、タッチパネル１６５と、ハードキー部１６７とを含む。タッチパネル１６５は、静電容量方式である。なお、タッチパネル１６５は、静電容量方式に限らず、例えば、抵抗膜方式、表面弾性波方式、赤外線方式、電磁誘導方式等の他の方式を用いることができる。
【００５１】
タッチパネル１６５は、その検出面が表示部１６１の上面または下面に表示部１６１に重畳して設けられる。ここでは、タッチパネル１６５の検出面のサイズと、表示部１６１の表示面のサイズとを同じにしている。このため、表示面の座標系と検出面の座標系は同じである。タッチパネル１６５は、ユーザーが、表示部１６１の表示面を指示する位置を検出面で検出し、検出した位置の座標をＣＰＵ１１１に出力する。表示面の座標系と検出面の座標系は同じなので、タッチパネル１６５が出力する座標を、表示面の座標に置き換えることができる。
【００５２】
ハードキー部１６７は、複数のハードキーを含む。ハードキーは、例えば接点スイッチである。タッチパネル１６５は、表示部１６１の表示面中でユーザーにより指示された位置を検出する。ユーザーがＭＦＰ１００を操作する場合は直立した姿勢となる場合が多いので、表示部１６１の表示面、タッチパネル１６５の操作面およびハードキー部１６７は、上方を向いて配置される。ユーザーが表示部１６１の表示面を容易に視認することができ、ユーザーが指で操作部１６３を容易に指示することができるようにするためである。
【００５３】
通信Ｉ／Ｆ部１１２は、ＭＦＰ１００をネットワークに接続するためのインターフェースである。またネットワークは、例えば、ローカルエリアネットワーク（ＬＡＮ）である。また、ネットワークは、ＬＡＮに限らず、ワイドエリアネットワーク（ＷＡＮ）、公衆交換電話網（ＰＳＴＮ）、インターネット等であってもよい。通信Ｉ／Ｆ部１１２は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで、ネットワークに接続された他のコンピューターと通信する。なお、通信Ｉ／Ｆ部１１２が接続されるネットワークは、接続形態は有線または無線を問わない。
【００５４】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶するとともに、画像形成部１４０でプリント可能なプリントデータに変換して、画像形成部１４０に出力する。これにより、画像形成部１４０は、ファクシミリ部１１６により受信されたファクシミリデータの画像を用紙に形成する。また、ファクシミリ部１１６は、ＨＤＤ１１５に記憶されたデータをファクシミリデータに変換して、ＰＳＴＮに接続されたファクシミリ装置に送信する。
【００５５】
人感センサー１１７は、焦電型赤外線センサーである。人感センサー１１７は、人体から発せられる赤外線を検出し、温度の変化を検出する。人感センサー１１７は、計測した温度の変化を示す値をＣＰＵ１１１に出力する。具体的には、人感センサー１１７に対して予め定められた検出可能範囲に人が進入すると、人感センサー１１７が受光する赤外線が増加するので出力値が増加する。人感センサー１１７の検出可能範囲内で人が移動しなくなると、人感センサー１１７が受光する赤外線が一定となるので、人感センサー１１７の出力は収束し、オフセット電圧に戻る。人感センサー１１７の出力値が高いほど人感センサー１１７と人との間の距離が短い。
【００５６】
照度センサー１１８は、環境光の照度を検出する。環境光は、ＭＦＰ１００が配置される場所を照らす光である。照度センサー１１８は、ＭＦＰ１００の前面に配置されるのが好ましい。また、照度センサー１１８は、ＭＦＰ１００の上方に配置されるのが好ましい。照度センサー１１８は、計測した照度を示す値をＣＰＵ１１１に出力する。
【００５７】
外部記憶装置１１９は、ＣＰＵ１１１により制御され、ＣＤ−ＲＯＭ（Ｃｏｍｐａｃｔ  Ｄｉｓｋ  Ｒｅａｄ  Ｏｎｌｙ  Ｍｅｍｏｒｙ）１１９、または半導体メモリが装着される。本実施の形態においては、ＣＰＵ１１１は、ＲＯＭ１１３に記憶されたプログラムを実行する例を説明するが、ＣＰＵ１１１は、外部記憶装置１１９を制御して、ＣＤ−ＲＯＭ１１９ＡからＣＰＵ１１１が実行するためのプログラムを読出し、読み出したプログラムをＲＡＭ１０２に記憶し、実行するようにしてもよい。
【００５８】
なお、ＣＰＵ１１１が実行するためのプログラムを記憶する記録媒体としては、ＣＤ−ＲＯＭ１１９Ａに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリ等の媒体でもよい。さらに、ＣＰＵ１１１がネットワークに接続されたコンピューターからプログラムをダウンロードしてＨＤＤ１１５に記憶する、または、ネットワークに接続されたコンピューターがプログラムをＨＤＤ１１５に書込みするようにして、ＨＤＤ１１５に記憶されたプログラムをＲＡＭ１１４にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００５９】
図３は、照明部が有する４つの光源の照明範囲を模式的に示す第１の図である。図４は、照明部が有する４つの光源の照明範囲を模式的に示す第２の図である。図３を参照して、照明部１７０の４つの第１光源１７１、第２光源１７２、第３光源１７３および第４光源１７４が、用紙の排紙方向と垂直な第１の方向に並んで配置される。第１光源１７１、第２光源１７２、第３光源１７３および第４光源１７４それぞれが発する光が、排紙トレイ１５５を照らす照射範囲１７１Ａ〜１７４Ａは互いに異なる。具体的には、照射範囲１７１Ａは、第１光源１７１が発した光が照らされる領域を示し、照射範囲１７２Ａは、第２光源１７２が発した光が照らされる領域を示し、照射範囲１７３Ａは、第３光源１７３が発した光が照らされる領域を示し、照射範囲１７４Ａは、第４光源１７４が発した光が照らされる領域を示す。照射範囲１７１Ａ〜１７４Ａそれぞれは、他の１以上の照射範囲それぞれと一部が重なるが、完全に重ならない。図３においては、第１光源１７１〜第４光源１７４の全てが駆動する場合の照射範囲を示している。第１光源１７１〜第４光源１７４の全てが駆動する場合、排紙トレイ１５５の全体に光が照射される。
【００６０】
排紙トレイ１５５に排紙される用紙のサイズがＡ３サイズの場合、排紙トレイ１５５の大部分を覆うので、第１光源１７１〜第４光源１７４の全てを駆動すれば、排紙トレイ１５５に排紙されるＡ３サイズの用紙の全体に光が照射される。
【００６１】
図４においては、第１光源１７１および第４光源１７４が駆動し、第２光源１７２および第３光源１７３が駆動しない場合の照射範囲を示している。第１光源１７１および第４光源１７４が駆動し、第２光源１７２および第３光源１７３が駆動しない場合は、排紙トレイ１５５の表面のうち排紙口１５７側の半分の領域１５５Ａに光が照射される。排紙トレイ１５５に排紙される用紙のサイズがＡ４サイズで搬送方向が横方向の場合、排紙トレイ１５５の用紙が蓄積される面の排紙口１５７側の約半分を覆うので、第１光源１７１および第４光源１７４を駆動すれば、排紙トレイ１５５に排紙されるＡ４サイズ以下のサイズの用紙の全体に光が照射される。
【００６２】
図５は、ＭＦＰが備えるＣＰＵが有する機能の一例を示す図である。図５に示す機能は、ＭＦＰ１００が備えるＣＰＵ１１１が、ＲＯＭ１１３、ＨＤＤ１１５またはＣＤ−ＲＯＭ１１９Ａに記憶された排紙通知プログラムを実行することにより、ＣＰＵ１１１に形成される機能である。
【００６３】
図５を参照して、ＣＰＵ１１１は、ジョブ受付部５１と、ジョブ実行部５３と、光源制御部５５と、照度検出部５９と、人物検出部５７と、を含む。
【００６４】
ジョブ受付部５１は、ジョブ実行部５３が実行するためのジョブを受け付ける。ジョブ受付部５１は、表示部１６１に設定画面を表示し、ユーザーが設定画面に従って操作部１６３に操作を入力する場合に、ジョブを受け付ける。また、ジョブ受付部５１は、通信Ｉ／Ｆ部１１２が、ネットワークを介して接続されるコンピューターからジョブを受信する場合に、受信されたジョブを受け付ける。さらに、ジョブ受付部５１は、ファクシミリ部１１６が別のファクシミリ装置からファクシミリデータを受信すると、ファクシミリデータを処理するジョブを受け付ける。ジョブ受付部５１は、ジョブを受け付けることに応じて、受け付けられたジョブの実行をジョブ実行部５３に指示するとともに、ジョブを光源制御部５５に出力する。
【００６５】
ジョブ実行部５３は、ジョブを実行する。ジョブ実行部５３が実行可能なジョブは、原稿読取ジョブ、画像形成ジョブ、データ送受信ジョブ、ファクシミリ送受信ジョブおよびデータ管理ジョブを含む。なお、ジョブ実行部５３が実行可能な処理は、これらに限定されることなく、より少なくてもよいし、より多くの種類の処理を含んでもよい。
【００６６】
原稿読取ジョブは、原稿読取部１３０で原稿を読み取って得られる画像データをＲＡＭ１１４に記憶する処理である。画像形成ジョブは、データの画像を画像形成部１４０に給紙部１５０から供給される用紙に画像形成させる処理である。データ送受信ジョブは、通信Ｉ／Ｆ部１１２を介してネットワークに接続されたコンピューターからデータを受信する処理、または、ＨＤＤ１１５または外部記憶装置１１９に記憶されたデータを通信Ｉ／Ｆ部１１２を介してネットワークに接続されたコンピューターに送信する処理である。ファクシミリ送受信ジョブは、ファクシミリデータの画像をファクシミリ部１１６に送信させるファクシミリ送信ジョブ、または、ファクシミリデータの画像を外部から受信するファクシミリ受信ジョブを含む。データ管理ジョブは、ＨＤＤ１１５または外部記憶装置１１９にデータを記憶する処理、ＨＤＤ１１５または外部記憶装置１１９に記憶されたデータを変更または削除する処理、ＨＤＤ１１５または外部記憶装置１１９に記憶されたデータのうちから１以上を処理対象に選択する処理である。データを変更する処理は、データを編集する処理、フォーマットを変更する処理を含む。
【００６７】
また、ジョブ実行部５３は、原稿読取ジョブ、画像形成ジョブ、データ送受信ジョブ、ファクシミリ送受信ジョブおよびデータ管理ジョブのうち２以上を組み合わせたジョブを実行可能である。例えば、原稿読取ジョブと画像形成ジョブとを組み合わせることにより、原稿を読み取ったデータの画像を形成するコピージョブになる。また、データ受信ジョブと画像形成ジョブとを組み合わせる場合、コンピューターから受信されるデータの画像を形成するプリントジョブになる。
【００６８】
人物検出部５７は、人感センサー１１７を制御し、人感センサー１１７の出力値を取得する。人物検出部５７は、人感センサー１１７の出力値が所定のしきい値を超えると、人物を検出し、検出信号を光源制御部５５に出力する。
【００６９】
照度検出部５９は、照度センサー１１８を制御して、照度センサー１１８の出力値を取得し、取得された出力値を光源制御部５５に出力する。
【００７０】
光源制御部５５は、４つの第１光源１７１、第２光源１７２、第３光源１７３および第４光源１７４の駆動を制御する。光源制御部５５は、駆動態様決定部６１と、駆動光源決定部６３と、駆動開始部６５と、駆動停止部６７とを含む。
【００７１】
駆動光源決定部６３は、４つの第１光源１７１、第２光源１７２、第３光源１７３および第４光源１７４のうちから駆動対象となる１以上を決定する。具体的には、駆動光源決定部６３は、ジョブ受付部５１から画像形成ジョブが入力される場合、画像形成ジョブで定められるプリント条件として、画像形成の対象となる用紙のサイズを決定する。駆動光源決定部６３は、用紙のサイズがＡ３サイズの場合、４つの第１光源１７１、第２光源１７２、第３光源１７３および第４光源１７４を駆動対象に決定する。駆動光源決定部６３は、用紙のサイズがＡ３サイズ以外の場合、Ａ３サイズ以外の用紙に対して予め定められた２つの第１光源１７１および第４光源１７４を駆動対象に決定する。駆動光源決定部６３は、４つの第１光源１７１、第２光源１７２、第３光源１７３および第４光源１７４のうちから駆動対象に決定した光源を識別するための光源識別情報を、駆動開始部６５に出力する。
【００７２】
なお、駆動光源決定部６３は、４つの第１光源１７１、第２光源１７２、第３光源１７３および第４光源１７４のうち１以上を含むグループをユーザーごとに割り当てておき、ジョブ受付部５１から入力されるジョブの実行を指示したユーザーに割り当てられたグループに含まれる１以上の光源を、駆動対象に設定するようにしてもよい。
【００７３】
駆動態様決定部６１は、ジョブ受付部５１から入力されるジョブで定められれる条件に基づいて、４つの第１光源１７１、第２光源１７２、第３光源１７３および第４光源１７４のうち駆動光源決定部６３によって決定された１以上の光源が光を照射する態様を決定する。駆動態様決定部６１は、決定した態様を駆動開始部６５に出力する。光を照射する態様は、照射する光の色、および光の照射と停止とを繰り返す際の点滅間隔と、を含む。また、光を照射する態様は、色と点滅間隔との組み合わせと含む。例えば、ジョブによって、画像を形成する用紙の枚数が定められているので、枚数によって、光を照射する態様を異ならせる。具体的には、画像形成する枚数が１０枚以下ならば発光色を青色および点滅間隔を１秒とした態様とし、画像形成する枚数が、１１枚以上２０枚以下ならば発光色を黄色および点滅間隔とした２秒の態様とし、２０枚以上ならば発光色を赤色および点滅間隔を３秒とした態様にする。なお、ジョブにより定められる条件は、画像形成する枚数に限られない。
【００７４】
また、駆動態様決定部６１は、ジョブ受付部５１から入力されるジョブの実行を指示したユーザーごとに、４つの第１光源１７１、第２光源１７２、第３光源１７３および第４光源１７４のうち駆動光源決定部６３によって決定された１以上の光源が光を照射する態様を決定するようにしてもよい。例えば、発光色および／または点滅間隔を、ユーザーごとに予め割り当てておけばよい。
【００７５】
また、駆動態様決定部６１は、照度検出部５９から入力される照度センサー１１８の出力値に基づいて、４つの第１光源１７１、第２光源１７２、第３光源１７３および第４光源１７４のうち駆動光源決定部６３によって決定された１以上の光源が照射する光の量を決定する。具体的には、駆動態様決定部６１は、照度センサー１１８の出力値が高いほど、４つの第１光源１７１、第２光源１７２、第３光源１７３および第４光源１７４に印加する電圧の値を高い値に決定する。４つの第１光源１７１、第２光源１７２、第３光源１７３および第４光源１７４それぞれが照射する光の量は、それに印加される電圧に比例するので、照度センサー１１８の出力値が高いほど、４つの第１光源１７１、第２光源１７２、第３光源１７３および第４光源１７４それぞれが照射する光の明度が高くなるようにする。パルス幅変調（ＰＷＭ）制御することにより、４つの第１光源１７１、第２光源１７２、第３光源１７３および第４光源１７４に印加える電圧を変更するようにすればよい。
【００７６】
駆動開始部６５は、駆動光源決定部６３から第１光源１７１〜第４光源１７４のうち駆動対象に決定された光源の光源識別情報が入力され、駆動態様決定部６１から態様が入力される。駆動開始部６５は、ジョブ実行部５３により画像形成ジョブの実行が終了すると、４つの第１光源１７１、第２光源１７２、第３光源１７３および第４光源１７４のうち駆動態様決定部６１から入力される光源識別情報で特定される光源を、駆動光源決定部６３から入力される態様で駆動する。
【００７７】
駆動停止部６７は、駆動開始部６５により光源が駆動されてから所定時間経過すると、光源の駆動を停止する。
【００７８】
なお、光源制御部５５は、ジョブ実行部５３により画像形成ジョブの実行が開始してから終了するまでの間、４つの第１光源１７１、第２光源１７２、第３光源１７３および第４光源１７４のうち駆動態様決定部６１から入力される光源識別情報で特定される光源を、所定の時間間隔で光を照射させるようにしてもよい。この場合、画像形成ジョブの実行が終了した場合の光の照射と区別するために、駆動態様決定部６１により決定される態様とは異なる色および点滅間隔の組を予め定めておく。そして、光源制御部５５は、４つの第１光源１７１、第２光源１７２、第３光源１７３および第４光源１７４のうち駆動光源決定部６３から入力される光源識別情報で特定される光源を、予め定められた色で、予め定められた間隔で点滅させる。これにより、ユーザーに、画像形成ジョブを実行中であることを通知することができる。
【００７９】
また、排紙トレイ１５５に蓄積された用紙の存在を検出するための用紙検出センサーを設ける場合には、駆動開始部６５は、駆動停止部６７によって光源の駆動が停止された後、用紙検出センサーによって用紙の存在が検出されていることを条件に、人物検出部５７から検出信号が入力されることに応じて、４つの第１光源１７１、第２光源１７２、第３光源１７３および第４光源１７４のうち駆動光源決定部６３から入力される光源識別情報で特定される光源を、駆動態様決定部６１から入力される態様で駆動する。駆動停止部６７は、駆動開始部６５により光源が駆動されてから所定時間経過すると、光源の駆動を停止する。
【００８０】
図６は、排紙通知処理の流れの一例を示すフローチャートである。排紙通知処理は、ＭＦＰ１００が備えるＣＰＵ１１１が、ＲＯＭ１１３、ＨＤＤ１１５またはＣＤ−ＲＯＭ１１９Ａに記憶された排紙通知プログラムを実行することにより、ＣＰＵ１１１により実行される処理である。
【００８１】
図６を参照して、ＣＰＵ１１１は、ジョブを受け付けたか否かを判断する（ステップＳ０１）。ジョブを受け付けるまで待機状態となり（ステップＳ０１でＮＯ）、ジョブを受け付けたならば（ステップＳ０１でＹＥＳ）、処理をステップＳ０２に進める。ユーザーが操作部１６３に入力するジョブの実行を指示する操作を受け付ける場合、通信Ｉ／Ｆ部１１２が外部のコンピューターからジョブを受信する場合、ジョブを受け付ける。
【００８２】
ステップＳ０２においては、受け付けられたジョブが画像形成ジョブか否かを判断する。画像形成ジョブならば処理をステップＳ０３に進めるが、そうでなければ処理をステップＳ２２に進める。ステップＳ２２においては、ステップＳ０１において受け付けられたジョブを実行し、処理を終了する。
【００８３】
ステップＳ０３においては、ステップＳ０１において受け付けられたジョブにより定められるプリント条件において、画像形成の対象となる用紙のサイズがＡ３か否かを判断する。用紙のサイズがＡ３ならば処理をステップＳ０４に進めるが、そうでなければ処理をステップＳ０５に進める。プリント条件によって、複数のサイズの用紙が定められている場合、複数の用紙のサイズのうち最大のサイズの用紙のサイズがＡ３か否かを判断する。
【００８４】
ステップＳ０４においては、４つの第１光源１７１、第２光源１７２、第３光源１７３および第４光源１７４の全てを駆動対象に決定し、処理をステップＳ０６に進める。ステップＳ０５においては、２つの第１光源１７１および第４光源１７４を駆動対象に決定し、処理をステップＳ０６に進める。
【００８５】
ステップＳ０６においては、ステップＳ０１において受け付けられたジョブにより定められるプリント条件において定められた画像形成枚数によって処理を分岐させる。画像形成枚数が１０枚以下ならば処理をステップＳ０７に進め、画像形成枚数が１１枚以上２０枚以下ならば処理をステップＳ０９に進め、画像形成枚数が２１枚以上ならば処理をステップＳ１１に進める。
【００８６】
ステップＳ０７においては、発光色を青色に決定し、処理をステップＳ０８に進める。ステップＳ０８においては、点滅間隔を１秒に決定し、処理をステップＳ１３に進める。ステップＳ０９においては、発光色を黄色に決定し、処理をステップＳ１０に進める。ステップＳ１０においては、点滅間隔を２秒に決定し、処理をステップＳ１３に進める。ステップＳ１１においては、発光色を赤色に決定し、処理をステップＳ１２に進める。ステップＳ１２においては、点滅間隔を３秒に決定し、処理をステップＳ１３に進める。
【００８７】
ステップＳ１３においては、画像形成ジョブが開始されたか否かを判断する。画像形成ジョブが開始されるまで待機状態となり（ステップＳ１３でＮＯ）、画像形成ジョブが開始されたならば（ステップＳ１３でＹＥＳ）、処理をステップＳ１４に進める。ステップＳ１４においては、ステップＳ０４またはステップＳ０５において決定された光源を、所定の色で、所定時間間隔で駆動する。ステップＳ１５においては、画像形成ジョブの実行が終了したか否かを判断する。画像形成ジョブの実行が終了したならば処理をステップＳ１６に進めるが、そうでなければ処理をステップＳ１４に戻す。画像形成ジョブが実行されている間は、排紙トレイ１５５が予め定められた色で、予め定められた時間間隔で照らされるので、画像形成ジョブが実行中であることをユーザーに通知することができる。また、画像形成ジョブが実行されて排紙される用紙のサイズがＡ３の場合には、排紙トレイ１５５の用紙が排紙される面に光が照らされ、画像形成ジョブが実行されて排紙される用紙がＡ３以外の場合には、排紙トレイ１５５の用紙が排紙される面の排紙口１５７側の半分の領域１５５Ａに光が照らされる。このため、サイズがＡ３の用紙を指定した画像形成ジョブの実行を指示したユーザーは、排紙トレイ１５５に排紙中の用紙が、自己が指定した画像形成ジョブに基づくものであるか否かを判断することができる。
【００８８】
ステップＳ１６においては、光源を、ステップＳ０７、ステップＳ０９およびステップＳ１１のいずれかで決定された色で、ステップＳ０８、ステップＳ１０およびステップＳ１２のいずれかで決定された点滅間隔で駆動する。画像形成ジョブが実行されて排紙された用紙のサイズがＡ３の場合には、排紙トレイ１５５の表面の全体に光が照らされ、画像形成ジョブが実行されて排紙される用紙がＡ３以外の場合には、排紙トレイ１５５の表面の排紙口１５７側の半分の領域１５５Ａに光が照らされる。これにより、サイズがＡ３の用紙を指定した画像形成ジョブの実行を指示したユーザーは、排紙トレイ１５５に排紙中の用紙が、自己が指定した画像形成ジョブに基づくものであるか否かを判断することができる。また、画像形成枚数によって、点滅間隔が異なるので、画像形成ジョブの実行を指示したユーザーは、排紙トレイ１５５に排紙された用紙が、自己が指定した画像形成ジョブに基づくものであるか否かを判断することができる。さらに、画像形成ジョブを実行中における光の色と点滅する間隔とが異なるので、画像形成ジョブが終了したことをユーザーに通知することができる。
【００８９】
ステップＳ１７においては、画像形成ジョブが終了してから所定時間が経過したか否かを判断する。所定時間は、任意に定めることができるが、ここでは、３０秒としている。画像形成ジョブが終了してから所定時間が経過すると、処理をステップＳ１８に進めるが、そうでなければ処理をステップＳ１６に戻す。ステップＳ１８においては、光源の駆動を停止し、処理をステップＳ１８に進める。
【００９０】
ステップＳ１９においては、排紙トレイ１５５に排紙された用紙が取り出されたか否かを判断する。排紙トレイ１５５に設けられた用紙検出センサーによって、用紙が検出されなければ処理を終了するが、そうでなければ処理をステップＳ２０に進める。ステップＳ２０においては、人物を検出したか否かを判断する。人感センサー１１７の出力値が所定の値を超える場合に、人物を検出する。人物を検出したならば処理をステップＳ２１に進めるが、そうでなければ処理をステップＳ１９に戻す。
【００９１】
ステップＳ２１においては、排紙トレイ１５５に用紙が存在するか否かを判断する。排紙トレイ１５５に設けられた用紙検出センサーによって、用紙が検出されなければ処理を終了するが、用紙が検出されるならば処理をステップＳ１６に進める。ステップＳ１６においては、光源を、ステップＳ０７、ステップＳ０９およびステップＳ１１のいずれかで決定された色で、ステップＳ０８、ステップＳ１０およびステップＳ１２のいずれかで決定された点滅間隔で駆動するが、次のステップＳ１８においては、光源を駆動してから所定の時間が経過すると光源の駆動を停止させる。
【００９２】
＜第１の変形例＞
変形例におけるＭＦＰ１００は、照明部１７０を照明部１７０Ａに変更したものである。照明部１７０Ａは、原稿読取部１３０の筐体の下面１３０Ａに設けられる。照明部１７０Ａは、４つの第１光源１７１、第２光源１７２、第３光源１７３および第４光源１７４とを含む。
【００９３】
図７は、変形例における照明部が有する４つの光源の照明範囲を模式的に示す図である。図７を参照して第１光源１７１と第２光源１７２とは、排紙口１５７からの距離が異なり、第３光源１７３と第４光源１７４とは、排紙口１５７からの距離が異なる。
【００９４】
照射範囲１７１Ａは、第１光源１７１が発した光が照らされる領域を示し、照射範囲１７２Ａは、第２光源１７２が発した光が照らされる領域を示し、照射範囲１７３Ａは、第３光源１７３が発した光が照らされる領域を示し、照射範囲１７４Ａは、第４光源１７４が発した光が照らされる領域を示す。照射範囲１７１Ａ〜１７４Ａそれぞれは、他の１以上の照射範囲それぞれと一部が重なるが、完全に重ならない。図７においては、第１光源１７１〜第４光源１７４の全てが駆動する場合の照射範囲を示している。第１光源１７１〜第４光源１７４の全てが駆動する場合、排紙トレイ１５５の全体に光が照射される。また、第１光源１７１および第４光源１７４を駆動し、第２光源１７２および第３光源１７３を駆動しない場合は、排紙トレイ１５５の表面のうち排紙口１５７側の半分の領域１５５Ａに光が照射される。
【００９５】
＜第２の変形例＞
ＭＦＰ１００に後処理ユニットが追加される場合がある。後処理ユニットは、画像形成部１４０によって画像が形成された用紙を、並べ替えるソート処理、用紙にパンチ穴を開ける処理、用紙にステープル針を打ち込む処理等を実行する。後処理ユニットは、排紙口１５７に接続され、排紙口１５７から排紙される用紙は、後処理ユニットに供給される。このため、排紙トレイ１５５に用紙が排紙されないので、ＣＰＵ１１１は、図６に示した排紙通知処理を実行することなく、４つの第１光源１７１、第２光源１７２、第３光源１７３および第４光源１７４を駆動しない。
【００９６】
以上説明したように、本実施の形態におけるＭＦＰ１００は、画像形成装置として機能し、排紙トレイ１５５の表面を照らす第１光源１７１〜第４光源１７４それぞれが排紙トレイ１５５の表面をそれぞれ照らす照射範囲１７１Ａ〜１７４Ａが互いに異なる。このため、排紙トレイ１５５の表面の全体を照らすことができ、サイズの大きな用紙、例えば、Ａ３サイズの用紙が排紙される場合であっても用紙の全体を照らすことができる。
【００９７】
また、第１光源１７１〜第４光源１７４それぞれを独立して制御するので、排紙トレイ１５５の表面を部分的で照らすことができる。
【００９８】
また、排紙トレイ１５５に排出される用紙のサイズに従って、第１光源１７１〜第４光源１７４のうちから排紙トレイ１５５の表面を照らす１以上を決定するので、排紙トレイ１５５に排紙される用紙によって、排紙トレイ１５５の表面を照らす範囲を異ならせることができる。このため、ユーザーに排紙トレイ１５５に排紙された用紙のサイズを通知することができる。
【００９９】
また、ジョブで定められれる条件によって、排紙トレイ１５５の表面を異なる態様で照らすので、ジョブの実行を指示したユーザーは、排紙トレイ１５５に排紙された用紙が自らが指示したジョブに基づくものであるかを知ることができる。
【０１００】
また、ジョブの実行を指示したユーザーによって、排紙トレイ１５５の表面を異なる態様で照らすので、排紙トレイ１５５に排紙された用紙が、いずれのユーザーによって指示されたジョブに基づくものであるかを通知することができる。
【０１０１】
また、排紙トレイ１５５への用紙の排出が完了することに応じて、排紙トレイ１５５の表面が照らされるので、排紙トレイ１５５に用紙が排紙され、ユーザーにジョブの実行が完了したことを通知することができる。
【０１０２】
また、人感センサー１１７によって所定の距離に存在する人が検出されると、排紙トレイ１５５の表面が照らされるので、所定の距離に存在するユーザーに排紙トレイ１５５に用紙が排紙されていることを通知することができる。
【０１０３】
また、排紙トレイ１５５の表面を照らしてから所定時間が経過すると、第１光源１７１〜第４光源１７４の駆動を停止するので、排紙トレイ１５５の表面を照らす期間を、所定時間に制限し、電力の消費を抑えることができる。
【０１０４】
また、第１光源１７１〜第４光源１７４それぞれが照射する光の色および／または点滅間隔を制御することによって、排紙トレイ１５５の表面を照らす態様を異ならせることができる。
【０１０５】
また、環境光の照度に基づいて、第１光源１７１〜第４光源１７４がそれぞれ照射する光の量を制御するので、環境光の変化に対応して排紙トレイ１５５の表面を照らすことができる。
【０１０６】
また、第１光源１７１〜第４光源１７４は、原稿読取部１３０の筐体の下面に設けられるので、排紙トレイ１５５の表面を直接照らすことができる。
【０１０７】
また、第１光源１７１〜第４光源１７４は、原稿読取部１３０の筐体の下面で、排紙口１５７が設けられる側とは反対側に一方向に並んで配置されるので、原稿読取部１３０の筐体のサイズを大きくすることなく、第１光源１７１〜第４光源１７４を配置することができる。
【０１０８】
また、第１光源１７１〜第４光源１７４は、原稿読取部１３０の筐体の下面に配置され、第１光源１７１と第２光源１７２とは、排紙口１５７からの距離が異なり、第３光源１７３と第４光源１７４とは、排紙口１５７からの距離が異なる。このため、第１光源１７１〜第４光源１７４それぞれと排紙トレイ１５５の表面との間の距離を同じになるので、第１光源１７１〜第４光源１７４それぞれが排紙トレイ１５５の表面を照らす明るさを同じにすることができる。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１００  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  人感センサー、１１８  照度センサー、１１９  外部記憶装置、１２０  自動原稿搬送装置、１２５  原稿トレイ、１２７  原稿排紙トレイ、１３０  原稿読取部、１４０  画像形成部、１５０  給紙部、１５５  排紙トレイ、１５７  排紙口、１６０  操作パネル、１６１  表示部、１６３  操作部、１６５  タッチパネル、１６７  ハードキー部、１７０，１７０Ａ  照明部、１７１  第１光源、１７２  第２光源、１７３  第３光源、１７４  第４光源、１７１Ａ〜１７４Ａ  照射範囲、５１  ジョブ受付部、５３  ジョブ実行部、５５  光源制御部、５７  人物検出部、５９  照度検出部、６１  駆動態様決定部、６３  駆動光源決定部、６５  駆動開始部、６７  駆動停止部。
【図１】
2018126884.tif 000003
【図２】
2018126884.tif 000004
【図３】
2018126884.tif 000005
【図４】
2018126884.tif 000006
【図５】
2018126884.tif 000007
【図６】
2018126884.tif 000008
【図７】
2018126884.tif 000009